(57)【特許請求の範囲】
【請求項１】
表示部を有する装置本体と、
前記装置本体に対して回動軸を介して開閉する方向に回動可能に支持され、前記表示部で発せられた光を通過させる複数のレンズ、及び閉じた状態で前記複数のレンズを通過した前記光を画像として視認可能な接眼部を有するルーペ部と、
前記装置本体と前記ルーペ部との間に設けられ、前記ルーペ部が開いた状態で前記装置本体に対して前記ルーペ部を取り外し可能にする着脱機構と、を備え、
前記着脱機構には、前記開いた状態の前記ルーペ部を前記装置本体から取り外す際に操作する着脱操作部が設けられ、
前記着脱操作部は、前記ルーペ部が開いた状態において、前記ルーペ部が閉じた状態の前記複数のレンズの光軸方向から見た位置に露出して配置されていることを特徴とするファインダ装置。
【請求項２】
前記着脱操作部は、前記ルーペ部に設けられていることを特徴とする請求項１に記載のファインダ装置。
【請求項３】
前記着脱機構、及び前記着脱操作部は、前記ルーペ部を閉じた状態で前記ファインダ装置の内部に配置されていることを特徴とする請求項１又は２に記載のファインダ装置。
【請求項４】
前記装置本体には、前記表示部に表示された画像を前記複数のレンズに向けて反射する反射部材が設けられていることを特徴とする請求項１乃至３のいずれか一項に記載のファインダ装置。
【請求項５】
前記回動軸は、前記装置本体に対して前記ルーペ部を閉じた状態において前記装置本体の前記ルーペ部の側を向く位置に配置されていることを特徴とする請求項１乃至４のいずれか一項に記載のファインダ装置。
【請求項６】
前記着脱機構は、前記ルーペ部に設けられていることを特徴とする請求項１乃至５のいずれか一項に記載のファインダ装置。
【請求項７】
前記着脱機構の一部は、前記装置本体の前記ルーペ部の側の開口部の最外形よりも光軸に近い位置に配置されていることを特徴とする請求項１乃至６のいずれか一項に記載のファインダ装置。
【請求項８】
前記回動軸は、トルクヒンジであることを特徴とする請求項１乃至７のいずれか一項に記載のファインダ装置。
【請求項９】
請求項１乃至８のいずれか一項に記載のファインダ装置を備えることを特徴とする撮像装置。
【発明の詳細な説明】
【技術分野】
【０００１】
本発明は、静止画あるいは動画等の撮像画像を表示する表示部と、表示部に表示された画像を導光するルーペ部とを有するファインダ装置、及びファインダ装置を備えるデジタルビデオカメラ等の撮像装置に関する。
【背景技術】
【０００２】
デジタルビデオカメラのファインダ装置には、表示部を有する装置本体に対して回動可能に支持されるルーペ部を取り外すことで、表示部に表示された画像を見やすくするものがある（特許文献１）。
【先行技術文献】
【特許文献】
【０００３】
【特許文献１】特開２０１１−８７２５５号公報
【発明の概要】
【発明が解決しようとする課題】
【０００４】
しかし、上記特許文献１では、ファインダ装置の装置本体に対してルーペ部を着脱するための操作部が外観側に露出しているため、ルーペ部を取り外そうとして、ルーペ部を跳ね上げた際に、操作部が隠れて通常姿勢では見えなくなる。このため、ファインダ装置の装置本体からルーペ部を取り外す際の操作が面倒になる。
【０００５】
そこで、本発明は、表示部を有するファインダ装置の装置本体に対して回動可能に支持されるルーペ部を跳ね上げた状態で容易に取り外すことができる技術を提供することを目的とする。
【課題を解決するための手段】
【０００６】
上記目的を達成するために、本発明のファインダ装置は、表示部を有する装置本体と、前記装置本体に対して回動軸を介して開閉する方向に回動可能に支持され、前記表示部で発せられた光を通過させる複数のレンズ、及び閉じた状態で前記複数のレンズを通過した前記光を画像として視認可能な接眼部を有するルーペ部と、前記装置本体と前記ルーペ部との間に設けられ、前記ルーペ部が開いた状態で前記装置本体に対して前記ルーペ部を取り外し可能にする着脱機構と、を備え、前記着脱機構には、前記開いた状態の前記ルーペ部を前記装置本体から取り外す際に操作する着脱操作部が設けられ、前記着脱操作部は、前記ルーペ部が開いた状態において、前記ルーペ部が閉じた状態の前記複数のレンズの光軸方向から見た位置に露出して配置されていることを特徴とする。
【発明の効果】
【０００７】
本発明によれば、表示部を有するファインダ装置の装置本体に対して回動可能に支持されるルーペ部を跳ね上げた状態で、ルーペ部を着脱するための着脱操作部が外観に露出するため、装置本体からルーペ部を容易に取り外すことができる。
【図面の簡単な説明】
【０００８】
【図１】（ａ）は本発明のファインダ装置を備える撮像装置の実施形態の一例であるデジタルビデオカメラを背面側から見た斜視図、（ｂ）は（ａ）に示すデジタルビデオカメラの上面図である。
【図２】（ａ）はファインダ装置の正面斜視図、（ｂ）はファインダ装置の背面斜視図である。
【図３】図２（ａ）に示すファインダ装置の内部構造を説明する斜視図である。
【図４】図２（ａ）に示すファインダ装置のルーペ部をトルクヒンジを中心に回動操作して跳ね上げた状態の図である。
【図５】ルーペ部を外したパネルユニットの斜視図である。
【図６】（ａ）はファインダ装置の上面図、（ｂ）はファインダ装置の正面図である。
【図７】パネルユニットに対してルーペ部を跳ね上げた状態を示す図である。
【図８】パネルユニットとルーペ部のロックを解除した状態を示す斜視図である。
【図９】跳ね上げたルーペ部をパネルユニットに対して上方向に引き上げる様子を示す図である。
【図１０】トルクヒンジの挿入部を下方に倒した状態を示す図である。
【図１１】ルーペ部の斜視図である。
【図１２】ルーペ部の一部を分解した斜視図である。
【図１３】パネルユニットの斜視図である。
【図１４】パネルユニットの一部を分解した斜視図である。
【図１５】（ａ）は着脱レバーの斜視図、（ｂ）は（ａ）に示す着脱レバーを背面側から見た斜視図である。
【図１６】ロックノブの斜視図である。
【図１７】ルーペ部から着脱レバー、弾性部材、内カバー及びロックノブを取り外した状態を示す斜視図である。
【図１８】図７のＡ−Ａ線断面図である。
【図１９】図６（ａ）のＢ−Ｂ線要部断面図である。
【図２０】ファインダ装置の光学系を説明する斜視図である。
【図２１】ファインダ装置の光軸方向に沿う断面図である。
【図２２】パネルユニットの断面図である。
【図２３】パネルユニットと、ルーペ部の着脱レバー、圧縮バネ及び内カバーとの関係を説明する斜視図である。
【発明を実施するための形態】
【０００９】
以下、図面を参照して、本発明の実施形態の一例を説明する。
【００１０】
図１（ａ）は本発明のファインダ装置を備える撮像装置の実施形態の一例であるデジタルビデオカメラを背面側から見た斜視図、図１（ｂ）は図１（ａ）に示すデジタルビデオカメラの上面図である。なお、本実施形態では、図１（ａ）において、Ｘ方向をデジタルビデオカメラの幅方向、Ｚ方向をデジタルビデオカメラの高さ方向、Ｙ方向をデジタルビデオカメラの光軸方向とする。
【００１１】
図１（ａ）及び図１（ｂ）に示すように、本実施形態のデジタルビデオカメラ１（以下、カメラ１という。）は、上面部に光軸方向に長いハンドル部４が設けられている。ハンドル部４の正面側には、固定リング７及びハンドル側取付部５を介してファインダ取付部３が設けられ、ファインダ取付部３には、取付アーム部１１を介してファインダ装置２が取り付けられる。
【００１２】
ファインダ取付部３には、カメラ１の幅方向に延びるＸ方向レール部６とカメラ１の光軸方向に延びるＹ方向レール部９が設けられている。Ｘ方向レール部６は、ハンドル側取付部５に対してカメラ１の幅方向に移動可能に係合しており、これにより、カメラ１に対してファインダ装置２がカメラ１の幅方向に移動することができる。そして、ファインダ装置２をＸ方向レール部６に沿って所定位置に移動させた状態で、固定リング７を回して締め付けることで、カメラ１に対してファインダ装置２をカメラ１の幅方向の任意の位置に固定することができる。
【００１３】
Ｙ方向レール部９には、ファインダ正面側取付部８を介して取付アーム部１１が光軸方向に移動可能に係合しており、取付アーム部１１には、ファインダ背面側取付部１２を介してファインダ装置２が取り付けられている。これにより、カメラ１に対してファインダ装置２がカメラ１の光軸方向に移動することができる。そして、ファインダ装置２をＹ方向レール部９に沿って所定位置に移動させた状態で、固定リング１０を回して締め付けることで、カメラ１に対してファインダ装置２をカメラ１の光軸方向の任意の位置に固定することができる。
【００１４】
また、ファインダ正面側取付部８と取付アーム部１１との間、及びファインダ背面側取付部１２と取付アーム部１１の間には、それぞれＸ軸を中心に回動できる不図示の１軸トルクヒンジが組み込まれている。これにより、カメラ１に対してファインダ装置２を回動させて角度を変えることができる。この結果、被写体が低い位置にいる場合に、ユーザは上からファインダ装置２を覗きこむことができ、また、被写体が高い位置にいる場合に、ユーザは下からファインダ装置２を覗きこむことが可能となる。なお、１軸トルクヒンジは、固定リング１０又は固定リング１３を回して締め付けることで動きを規制することができる。
【００１５】
次に、図２乃至図５を参照して、ファインダ装置２の概要を説明する。図２（ａ）は、ファインダ装置２の正面斜視図である。図２（ａ）に示すように、ファインダ装置２は、後述するＬＣＤ等の表示パネル２４を含むパネルユニット３１と、後述する複数のレンズを含むルーペ部２９とを備える。また、ファインダ装置２には、本発明の接眼部の一例としてのアイカップ１４、視度を調整するための視度調整操作部１５、メニューキー１６、キャンセルキー１７、及びメニューモードの中でカーソルを動かす十字キー１８が設けられている。
【００１６】
メニューキー１６、及びキャンセルキー１７は、押釦式であり、十字キー１８は、４方向を選択するだけでなく、中央部を押し操作をすることができる。表示パネル２４は、本発明の表示部の一例に相当し、パネルユニット３１は、本発明の装置本体の一例に相当する。
【００１７】
図２（ｂ）は、ファインダ装置２の背面斜視図である。図２（ｂ）に示すように、ファインダ装置２は、３連のダイヤルキー１９ａ〜１９ｃ、４連のトグルキー２０ａ〜２０ｄ、ダイヤルキー保護部２１、本体接続ジャック２２、及びＬＥＤ窓２３を備える。本体接続ジャック２２は、カメラ１からの映像信号とタリー信号を受け取り、カメラ１にキー類からの入力信号を送るケーブルを差し込むためのジャックである。ＬＥＤ窓２３は、撮影時にタリーランプが点灯するときに、不図示のＬＥＤ等の明かりを外部に透過する。
【００１８】
図３は、図２（ａ）に示すファインダ装置２の内部構造を説明する斜視図である。図３において、破線２５ａ，２５ｂは、表示パネル２４の中心から発せられた光の光路であり、破線２５ｂは、固定レンズ２７、可動レンズ２８ａ及び可動レンズ２８ｂの光軸に相当する。
【００１９】
表示パネル２４から発せられた光は、反射部材の一例としてのミラー２６により９０°曲げられて、固定レンズ２７、可動レンズ２８ａ、及び可動レンズ２８ｂの順で通過して、アイカップ１４からユーザの瞳に導かれて視認可能となる。可動レンズ２８ａと可動レンズ２８ｂとは、図２（ａ）に示す視度調整操作部１５の操作と連動して光軸方向に移動する。
【００２０】
図３において、メニューキー１６、キャンセルキー１７、十字キー１８、表示パネル２４、及びミラー２６は、前述したパネルユニット３１に含まれる。また、固定レンズ２７、可動レンズ２８ａ、及び可動レンズ２８ｂは、前述したルーペ部２９に含まれる。ここで、光路２５ｂのミラー２６に向かう方向を視認方向と呼ぶことにする。ユーザは、ルーペ部２９の跳ね上げやパネルユニット３１からの着脱にかかわらず、パネルユニット３１に対して一定となる視認方向を覗くことになる。また、十字キー１８は、視認方向に配置されている。
【００２１】
図４は、図２（ａ）に示すファインダ装置２のルーペ部２９をトルクヒンジ３０を中心に開き方向に回動操作して跳ね上げた状態の図である。図４に示す状態では、ユーザは、ミラー２６で反射した表示パネル２４の画像をルーペ部２９を介さずに見ることができる。また、図５に示すように、跳ね上げたルーペ部２９をパネルユニット３１から外して、パネルユニット３１だけでミラー２６で反射した表示パネル２４の画像を見ることもできる。なお、パネルユニット３１に対するルーペ部２９の開閉機構及び着脱機構の詳細については後述する。
【００２２】
次に、図６及び図７を参照して、メニューキー１６、キャンセルキー１７、十字キー１８、パネルユニット３１、ルーペ部２９、及びトルクヒンジ３０の位置関係について説明する。
【００２３】
図６（ａ）は、ファインダ装置２の上面図である。図６（ａ）に示すように、メニューキー１６、キャンセルキー１７、十字キー１８はファインダ装置２の上面から見た場合、ルーペ部２９の固定レンズ２７、可動レンズ２８ａ、及び可動レンズ２８ｂの光軸と平行な方向に一列に並ぶように配置されている。
【００２４】
図６（ｂ）は、ファインダ装置２の正面図である。図６（ｂ）に示すように、十字キー１８は、ファインダ装置２を正面側から見て略矩形状のパネルユニット３１の図の左上の角隅部に設けられ、トルクヒンジ３０と略同一高さに配置されている。メニューキー１６及びキャンセルキー１７は、図６（ａ）に示すように、ファインダ装置２の上面側に設けられている。また、ルーペ部２９には、図７に示すように、パネルユニット３１に対してルーペ部２９を略１８０°開いて跳ね上げた際に、十字キー１８がルーペ部２９の外装に隠れないように、切り欠き部３２が設けられている。
【００２５】
これにより、パネルユニット３１の十字キー１８、及びトルクヒンジ３０は、ルーペ部２９を開いて跳ね上げた状態でファインダ装置２の正面方向から見たときに、ルーペ部２９と重なる部分がないように配置されている。
【００２６】
図６に示す状態及び図７に示す状態では、ユーザは、カメラ１を右肩で担いだ状態で、左手の中指でメニューキー１６を押し、左手の人差し指でキャンセルキー１７を押すことができる。また、左手の親指で十字キー１８に４方向に入力することで、４方向にカーソルを動かす操作をすることができ、十字キー１８の中央部を押すことで選択・実行操作をすることができる。更に、図７に示すように、ルーペ部２９を跳ね上げた状態では、切り欠き部３２と十字キー１８との間に空間が形成されるため、ユーザは、メニューキー１６及びキャンセルキー１７を容易に確認することができる。
【００２７】
このように、本実施形態では、ルーペ部２９の開閉に関わらず、ユーザは、右肩にカメラ１を担いだ状態で、カメラ１の操作の邪魔になることなく、メニューキー１６、キャンセルキー１７、及び十字キー１８の操作をすることが可能となる。
【００２８】
次に、図７乃至図１０を参照して、ルーペ部２９の跳ね上げ方法、及びルーペ部２９の取り外し方法について説明する。図８は、パネルユニット３１とルーペ部２９のロックを解除した状態を示す斜視図である。
【００２９】
図８に示すように、ロックノブ４０の押し部４１を押すと、後述するコイルバネ４２（図１２参照）によって、閉じ方向に付勢されていたロックノブ４０は、後述するインナホルダ４３に取り付けられた回動軸４４（図１１参照）を中心に回動する。これにより、パネルユニット３１の係合凸部４５とロックノブ４０の係合爪部４６との係合が解除され、ルーペ部２９は、パネルユニット３１に対してトルクヒンジ３０を中心に回動可能となる。
【００３０】
図７に示すように、ユーザがトルクヒンジ３０のトルクに抗してルーペ部２９を跳ね上げると、パネルユニット３１のミラー２６が外観に露出する。このとき、ユーザは、ミラー２６に反射した表示パネル２４の画像を視認方向から見ることができる。跳ね上げたルーペ部２９が撮影の邪魔になる場合は、着脱レバー４７を図７の右側にスライド操作することで、パネルユニット３１に取り付けられたトルクヒンジ３０とルーペ部２９に取り付けられた着脱レバー４７の係合を解除することができる。着脱レバー４７は、本発明の着脱操作部の一例に相当する。
【００３１】
この状態で、図９に示すように、ルーペ部２９をパネルユニット３１に対して上方向に引き上げれば、パネルユニット３１からルーペ部２９を取り外すことができる。このとき、トルクヒンジ３０の挿入部４８が上方に突出しているが、挿入部４８は、図１０に示すように、下方に倒すことができる。下方に倒した状態の挿入部４８は、視認方向から見て、パネルユニット３１の開口部４９の外側に位置するように配置されるため、挿入部４８によってミラー２６に映る画像が遮られることがない。
【００３２】
次に、図１１乃至図１７を参照して、着脱レバー４７、ロックノブ４０、及びトルクヒンジ３０の関係を説明する。
【００３３】
図１１は、ルーペ部２９の斜視図である。図１２は、ルーペ部２９の一部を分解した斜視図である。図１３は、パネルユニット３１の斜視図である。図１４は、パネルユニット３１の一部を分解した斜視図である。図１５（ａ）は着脱レバー４７の斜視図、図１５（ｂ）は図１５（ａ）に示す着脱レバー４７を背面側から見た斜視図である。図１６は、ロックノブ４０の斜視図である。図１７は、ルーペ部２９から着脱レバー４７、弾性部材７４，７５、内カバー５２及びロックノブ４０を取り外した状態を示す斜視図である。
【００３４】
図１１及び図１２に示すように、ルーペ部２９の背面側には、着脱レバー４７をスライド操作方向と反対側に付勢する圧縮バネ５１、着脱レバー４７が配置される内カバー５２、及びインナホルダ４３が設けられている。インナホルダ４３には、内カバー５２と圧縮バネ５１が取り付けられる。図１２、図１５、及び図１７に示すように、圧縮バネ５１は、インナホルダ４３のバネ掛け部５３（図１７参照）と着脱レバー４７の軸部５４（図１２参照）との間に設けられる。また、着脱レバー４７の凹部５５（図１５（ｂ）参照）がインナホルダ４３の掛止部５６が引っ掛かることで、インナホルダ４３に、圧縮バネ５１及び着脱レバー４７が仮組みされる。そして、仮組み後、インナホルダ４３に内カバー５２を組み付けることで、インナホルダ４３に、圧縮バネ５１及び着脱レバー４７が固定される。内カバー５２には、図１２に示すように、着脱レバー４７の操作凸部５７を露出さ開口部５８が形成されている。
【００３５】
着脱レバー４７の可動範囲は、着脱レバー４７の操作凸部５７が内カバー５２の開口部５８の端部に当接する位置から着脱レバー４７の凹部５５がインナホルダ４３の掛止部５６に当接する位置までの範囲である。この可動範囲において、着脱レバー４７の摺動凸部５９ａ〜５９ｃがそれぞれインナホルダ４３の内カバー５２の取り付け部に設けられた摺動面６０ａ〜６０ｃを摺動する。また、着脱レバー４７の摺動凸部５９ｄは、内カバー５２の不図示の摺動面を摺動する。
【００３６】
パネルユニット３１に対してルーペ部２９が取り付けられた状態では、パネルユニット３１のトルクヒンジ３０に設けられた挿入部４８がルーペ部２９の内カバー５２の内部に挿入されてルーペ部２９の着脱レバー４７と係合する。この状態では、図１２及び図１３に示すように、トルクヒンジ３０の挿入部４８の凹部６１がインナホルダ４３の受け部６２に係合し、また、トルクヒンジ３０の挿入部４８の凹部６３に着脱レバー４７の挿入凸部６４が係合する。図１３及び図１４に示すように、トルクヒンジ３０は、軸部６５とヒンジベース６６が係合し、ヒンジベース６６がパネルユニット３１が固定されることで、位置決めされる。
【００３７】
図１２、及び図１７に示すように、インナホルダ４３の下側には、図１６に示すロックノブ４０の係合爪部４６をパネルユニット３１の係合凸部４５（図１３参照）に係合する方向に付勢するコイルバネ４２、及び回動軸４４が設けられている。回動軸４４は、ロックノブ４０の穴部６７とコイルバネ４２のコイル部を貫通して、インナホルダ４３の穴部６８に支持される。コイルバネ４２の両端は、それぞれロックノブ４０のバネ掛け部７０とインナホルダ４３側に係合する。ロックノブ４０は、ロックノブ４０の面７１とインナホルダ４３の凸面７２が当接する位置からロックノブ４０がインナホルダ４３の凹面７３に当接する位置までの範囲で回動軸４４を中心に回動することができる。
【００３８】
次に、図１１、図１３、図１８及び図１９を参照して、パネルユニット３１に対してルーペ部２９が閉じた状態における、ルーペ部２９とパネルユニット３１との固定構造について説明する。
【００３９】
図１８は、図７のＡ−Ａ線断面図である。図１８に示すように、トルクヒンジ３０に設けられた挿入部４８の凹部６３の両側内側壁の一方の内側壁は、着脱レバー４７の挿入凸部６４の形状に対応して、凹部６３の底部側から開口部に向けて他方の内側壁から離れる方向に傾斜する傾斜面になっている。これにより、着脱レバー４７の可動範囲内で挿入部４８の凹部６３に着脱レバー４７の挿入凸部６４が確実に係合するようになっている。
【００４０】
図１９は、図６（ａ）のＢ−Ｂ線要部断面図である。図１９に示すように、ルーペ部２９のインナホルダ４３及び内カバー５２に貼り付けられた弾性部材７４，７５（図１２参照）は、パネルユニット３１の弾性当て面７６（図１４参照）に押し付けられてチャージされている。このため、ルーペ部２９の閉じ状態において、パネルユニット３１の底面の係合凸部４５とロックノブ４０の係合爪部４６は確実に係合する。また、弾性部材７４，７５は、パネルユニット３１の開口部４９（図１３参照）を覆うため、ファインダ装置２内への光の侵入を防ぐ遮光部材としても機能する。
【００４１】
パネルユニット３１の内側には、ルーペ部２９の内カバー５２に設けられた遮光リブ７７が挿入されている。遮光リブ７７は、遮光の役割だけでなく、ルーペ部２９をパネルユニット３１に対して閉じるときの、ガイドとして機能する。また、ルーペ部２９の閉じ状態では、ルーペ部２９の外装に設けられた凸部７８ａ，７８ｂ（図１１及び図１２参照）とパネルユニット３１の凹部７９ａ，７９ｂ（図１３参照）がそれぞれ係合して取付面方向に位置決めされる。
【００４２】
次に、図２０及び図２１を参照して、ファインダ装置２の光学系を説明する。図２０は、ファインダ装置２の光学系を説明する斜視図である。図２１は、ファインダ装置２の光軸方向に沿う断面図である。
【００４３】
図２０及び図２１に示すように、ルーペ部２９には、固定レンズ２７、可動レンズ２８ａ，２８ｂ及びアイカップ１４が設けられ、パネルユニット３１には、トルクヒンジ３０、上カバー８０、ミラー２６、表示パネル２４及びトルクヒンジ３０が設けられている。
【００４４】
表示パネル２４とミラー２６との間には、図２０に示すように、空間Ｋが形成されている。これにより、ユーザが眼を図２１の上下方向に振ってアイカップ１４からファインダ装置２内を覗いた場合に、表示パネル２４に映った画像とミラー２６に映った画像の両方が同時に見えることを防ぐことができる。
【００４５】
一方、ファインダ装置２のパネルユニット３１の上カバー８０の面（上面）は、ルーペ部２９の上面より高さが高くなっている。この場合、上カバー８０の面に不必要な部材が配置されると、ユーザが直接眼で被写体を視認しにくくなるとともに、ファインダ装置２の小型化を妨げることになる。
【００４６】
そこで、本実施形態では、トルクヒンジ３０を上カバー８０の面より下側、即ち、ルーペ部２９側に配置して、ユーザが直接眼で被写体を視認しやすくするとともに、ファインダ装置２の天面方向の小型化を可能にしている。
【００４７】
次に、図２１乃至図２３を参照して、トルクヒンジ３０、パネルユニット３１、着脱レバー４７及びルーペ部２９との位置関係について説明する。図２２は、パネルユニットの断面図である。図２３は、パネルユニット３１と、ルーペ部２９の着脱レバー４７、圧縮バネ５１、及び内カバー５２との関係を説明する斜視図である。
【００４８】
本実施形態では、着脱機構を構成する着脱レバー４７、圧縮バネ５１、及び内カバー５２は、光軸に接近し、かつ視認方向から見た場合に、一部がパネルユニット３１の開口部４９の最外形より内側に位置するようにルーペ部２９に配置されている。これは、ファインダ装置２をルーペ部２９の開き状態で使用する場合と、ファインダ装置２をルーペ部２９の閉じ状態で使用する場合とで、必要な開口部４９のサイズが異なるためである。
【００４９】
図２１に示す破線Ｓ１は、ファインダ装置２をルーペ部２９の閉じ状態で使用するときの光路を表している。ルーペ部２９の閉じ状態では、ユーザの眼の位置は、アイカップ１４により略一点に固定される。また、ルーペ部２９の固定レンズ２７、及び可動レンズ２８ａ，２８ｂより光が集光するので、開口部４９における破線Ｓ１の上下方向の高さ寸法Ｍは、小さくてもよい。
【００５０】
一方、図２２に示す破線Ｓ２は、ファインダ装置２をルーペ部２９を開いた状態で使用するときの光路を表している。ルーペ部２９の開き状態では、ユーザの眼の位置は、アイカップ１４により固定されない。できるだけ広い範囲でミラー２６に映った画像を見るためには、開口部４９における破線Ｓ２の上下方向の高さ寸法Ｎは、できるだけ大きくする必要がある。
【００５１】
本実施形態では、前述したように、着脱レバー４７、圧縮バネ５１、及び内カバー５２を光軸に接近させてルーペ部２９側に配置し、トルクヒンジ３０をパネルユニット３１側のルーペ部２９側を向く位置に配置している。このため、トルクヒンジ３０をルーペ部２９に配置し、着脱レバー４７、圧縮バネ５１、及び内カバー５２をパネルユニット３１側に配置する場合に比べて、図２２の破線Ｓ２の上下方向の高さ寸法Ｎを大きくすることができる。よって、パネルユニット３１に対してルーペ部２９を開いた状態、又は取り外した状態でミラー２６に映った画像を視認できる上下方向の範囲を広く確保することができる。
【００５２】
以上説明したように、本実施形態では、表示パネル２４を有するファインダ装置２のパネルユニット３１に対して回動可能に支持されるルーペ部２９を跳ね上げたときに、着脱レバー４７が外観に露出する。これにより、ユーザは、着脱レバー４７を通常姿勢で目視しながらルーペ部２９を容易に取り外すことができ、操作性が良好となる。
【００５３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５４】
１  カメラ
２  ファンダ装置
１４  アイカップ
２４  表示パネル
２７  固定レンズ
２８ａ，２８ｂ  可動レンズ
２９  ルーペ部
３０  トルクヒンジ
３１  パネルユニット
４７  着脱レバー
【図１】
0006576221.tif 000002
【図２】
0006576221.tif 000003
【図３】
0006576221.tif 000004
【図４】
0006576221.tif 000005
【図５】
0006576221.tif 000006
【図６】
0006576221.tif 000007
【図７】
0006576221.tif 000008
【図８】
0006576221.tif 000009
【図９】
0006576221.tif 000010
【図１０】
0006576221.tif 000011
【図１１】
0006576221.tif 000012
【図１２】
0006576221.tif 000013
【図１３】
0006576221.tif 000014
【図１４】
0006576221.tif 000015
【図１５】
0006576221.tif 000016
【図１６】
0006576221.tif 000017
【図１７】
0006576221.tif 000018
【図１８】
0006576221.tif 000019
【図１９】
0006576221.tif 000020
【図２０】
0006576221.tif 000021
【図２１】
0006576221.tif 000022
【図２２】
0006576221.tif 000023
【図２３】
0006576221.tif 000024